【手続補正書】
【提出日】平成24年3月26日(2012.3.26)
【手続補正１】
【補正対象書類名】明細書
【補正対象項目名】０００９
【補正方法】変更
【補正の内容】
【０００９】
上述のように、ポリマーネットワーク液晶表示素子においても、印加電圧のレベル切り替えを行なって交流駆動する必要があるので、ポリマーネットワーク液晶駆動装置は、コモン電極駆動波形ＣＯＭを交流化周期で第１のレベルから第２のレベルへ、又は、前記第２のレベルから前記第１のレベルへ、切り替えを行ない、セグメント電極波形ＳＥＧは、表示内容が拡散状態（ＳＥＧ  ＯＦＦ状態）か透明状態（ＳＥＧ  ＯＮ状態）かで、コモン電極駆動波形ＣＯＭ信号に対して同相か逆相かを切り替えて、前記第１のレベルから前記第２のレベルへ、又は、前記第２のレベルから前記第１のレベルへ切り替え出力するようになっている。
【手続補正２】
【補正対象書類名】明細書
【補正対象項目名】００１１
【補正方法】変更
【補正の内容】
【００１１】
一方、ポリマーネットワーク液晶駆動装置をＬＳＩ化して液晶パネルガラス上にＣＯＧ（Chip On Glass）実装したポリマーネットワーク液晶パネルを製造する場合、限られたスペースに多数の配線パターンを配置しなければならない。このポリマーネットワーク液晶パネルにおいても、搭載されるポリマーネットワーク液晶表示素子のセグメント数の増加と狭額縁化とが望まれている。そのため、配線パターンが細線化すると共に、隣接配線パターン間の間隔も非常に小さなものとなり、配線抵抗が大きくなる。
【手続補正３】
【補正対象書類名】明細書
【補正対象項目名】００１２
【補正方法】変更
【補正の内容】
【００１２】
このように大きな配線抵抗を持つ配線パターンに前述のように切り替え時に大電流が流れることで電圧降下が大きなものとなって、ポリマーネットワーク液晶表示素子に十分な駆動電圧を印加することができず、所望の表示状態が得られなくなるという問題が発生してしまう。そのため、ポリマーネットワーク液晶駆動装置を液晶パネルガラス上にＣＯＧ実装したポリマーネットワーク液晶パネルの狭額縁化が、望まれているにもかかわらず、達成することが難しかった。
【手続補正４】
【補正対象書類名】明細書
【補正対象項目名】００１４
【補正方法】変更
【補正の内容】
【００１４】
前記目的を果たすため、本発明のポリマーネットワーク液晶駆動装置の一態様は、第１のレベルと第２のレベルとで所定周期で切り替わる駆動信号を、複数個のポリマーネットワーク液晶表示素子のそれぞれのセグメント電極に入力して、スタティック駆動するポリマーネットワーク液晶駆動装置において、前記複数個のポリマーネットワーク液晶表示素子を、２グループ以上にグループ化し、前記駆動信号の前記第１のレベルと前記第２のレベルとを正負逆の同一レベルとし、全ポリマーネットワーク液晶表示素子に共通のコモン電極に対してはグランドレベルの信号を出力し、一つのグループに含まれるポリマーネットワーク液晶表示素子のセグメント電極へ出力する前記駆動信号の前記レベルの切り替えと、他のグループに含まれるポリマーネットワーク液晶表示素子のセグメント電極へ出力する前記駆動信号の前記レベルの切り替えと、で、互いに異なる状態となるように、前記複数個のポリマーネットワーク液晶表示素子の各セグメント電極に出力する前記駆動信号を制御する、ことを特徴とする。
また、前記目的を果たすため、本発明のポリマーネットワーク液晶駆動方法の一態様は、第１のレベルと第２のレベルとで所定周期で切り替わる駆動信号を、複数個のポリマーネットワーク液晶表示素子のそれぞれのセグメント電極に入力して、スタティック駆動する際に、前記複数個のポリマーネットワーク液晶表示素子を、２グループ以上にグループ化し、前記駆動信号の前記第１のレベルと前記第２のレベルとを正負逆の同一レベルとし、  全ポリマーネットワーク液晶表示素子に共通のコモン電極に対してはグランドレベルの信号を出力し、一つのグループに含まれるポリマーネットワーク液晶表示素子のセグメント電極へ出力する前記駆動信号の前記レベルの切り替えと、他のグループに含まれるポリマーネットワーク液晶表示素子のセグメント電極へ出力する前記駆動信号の前記レベルの切り替えと、で、互いに異なる状態となるように、前記複数個のポリマーネットワーク液晶表示素子の各セグメント電極に出力する前記駆動信号を制御する、ことを特徴とする。
また、前記目的を果たすため、本発明のポリマーネットワーク液晶パネルの一態様は、
透明基板と、前記透明基板上に形成された複数個のポリマーネットワーク液晶表示素子と、  前記透明基板上にＣＯＧ実装された、前記記載のポリマーネットワーク液晶駆動装置と、を具備する、ことを特徴とする。
【手続補正５】
【補正対象書類名】明細書
【補正対象項目名】００１６
【補正方法】変更
【補正の内容】
【００１６】
【図１】図１（Ａ）は、本発明の第１実施形態に係るポリマーネットワーク液晶駆動    装置及び駆動方法におけるオン表示時の印加電圧波形を表すタイミングチャートを示す図であり、図１（Ｂ）は、同じくオフ表示時の印加電圧波形を表すタイミングチャートを示す図である。
【図２】図２（Ａ）は、ポリマーネットワーク液晶表示素子の電圧非印加時の動作を説明するための図であり、図２（Ｂ）は同じく電圧印加時の動作を説明するための図である。
【図３】図３（Ａ）は、本発明の第１実施形態に係るポリマーネットワーク液晶パネ    ルの適用例を説明するための一眼レフレックスカメラの光路を示す図であり、図３（Ｂ）は、ファインダ内表示の例を示す図であり、図３（Ｃ）及び（Ｄ）は、それぞれ、ポリマーネットワーク液晶パネルの構成例を説明するための図である。
【図４】図４（Ａ）は、本発明の第２実施形態に係るポリマーネットワーク液晶駆動装置及び駆動方法におけるオン表示時の印加電圧波形を表すタイミングチャートを示す図であり、図４（Ｂ）は、同じくオフ表示時の印加電圧波形を表すタイミングチャートを示す図である。
【図５】図５（Ａ）は、本発明の第３実施形態に係るポリマーネットワーク液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【図６】図６（Ａ）は、本発明の第４実施形態に係るポリマーネットワーク液晶駆動装置及び駆動方法におけるオン表示時の印加電圧波形を表すタイミングチャートを示す図であり、図６（Ｂ）は、同じくオフ表示時の印加電圧波形を表すタイミングチャートを示す図である。
【図７】図７（Ａ）は、本発明の第５実施形態に係るポリマーネットワーク液晶駆動装置及び駆動方法におけるオン表示時の印加電圧波形を表すタイミングチャートを示す図であり、図７（Ｂ）は、同じくオフ表示時の印加電圧波形を表すタイミングチャートを示す図である。
【図８】図８（Ａ）は、本発明の第６実施形態に係るポリマーネットワーク液晶駆動装置及び駆動方法におけるオン表示時の印加電圧波形を表すタイミングチャートを示す図であり、図８（Ｂ）は、同じくオフ表示時の印加電圧波形を表すタイミングチャートを示す図である。
【図９】図９（Ａ）は、従来のポリマーネットワーク液晶駆動装置及び駆動方法におけるオン表示時の印加電圧波形を表すタイミングチャートを示す図であり、図９（Ｂ）は、同じくオフ表示時の印加電圧波形を表すタイミングチャートを示す図である。
【手続補正６】
【補正対象書類名】明細書
【補正対象項目名】００１７
【補正方法】変更
【補正の内容】
【００１７】
［第１実施形態］
以下、本発明の第１実施形態について図１乃至図３を参照して説明する。ここで、図１（Ａ）は、本第１実施形態に係るポリマーネットワーク（以下、ＰＮと略記する）液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。また、図２（Ａ）は、ＰＮ液晶表示素子の電圧非印加時の動作を説明するための図であり、図２（Ｂ）は同じく電圧印加時の動作を説明するための図である。また、図３（Ａ）は、本第１実施形態に係るＰＮ液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ＰＮ液晶パネルの構成例を説明するための図である。
【手続補正７】
【補正対象書類名】明細書
【補正対象項目名】００１９
【補正方法】変更
【補正の内容】
【００１９】
このような構造において、図２（Ａ）に示すようにコモン電極２とセグメント電極４との間に電場が形成されていない状態では、ＰＮ５中に分散された液晶分子６は、任意の方向を向いている。この場合、ＰＮ５の屈折率と液晶分子６の平均屈折率が異なるようにすると、光源側透明基板１側から入射した入射光７は、散乱されながら液晶層を透過し、その散乱光８は、観察側透明基板３から射出される。従って、液晶分子６が任意の方向を向いた液晶層に入射した光は、散乱されて観察側透明基板３側から射出されるため、観察側透明基板３側からは白濁した光として観察される。
【手続補正８】
【補正対象書類名】明細書
【補正対象項目名】００２５
【補正方法】変更
【補正の内容】
【００２５】
ＰＮ液晶パネル１６は、図３（Ｃ）に示すように、液晶パネルガラス２１上に、表示部２２、駆動ドライバ２３が、ＣＯＧ実装されたものである。ここで、表示部２２には複数のＰＮ液晶表示素子が配されるもので、液晶パネルガラス２１が前記光源側透明基板１として用いられている。駆動ドライバ２３は、各ＰＮ液晶表示素子を駆動するためのＬＳＩ化されたＰＮ液晶駆動装置であり、液晶パネルガラス２１には、該駆動ドライバ２３から各ＰＮ液晶表示素子のセグメント電極４及び共通のコモン電極２への給電を行なうための配線パターン２５と、が形成されている。また、カメラ本体１１内に構成された不図示のカメラ制御部からの制御信号等を供給するためのフレキシブル基板２６とＡＣＦ（Anisotropic Conducting Film）接続される図示しない端子部との間を接続する配線パターン２７も形成されている。なお、ＡＣＦ接続とは、異方性導電フィルムを用いて電気的な接続を行なう接続形態のことである。
【手続補正９】
【補正対象書類名】明細書
【補正対象項目名】００３６
【補正方法】変更
【補正の内容】
【００３６】
本第１実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１０】
【補正対象書類名】明細書
【補正対象項目名】００４７
【補正方法】変更
【補正の内容】
【００４７】
本第２実施形態のようなＰＮ液晶駆動方法を採ることにより、スタティック駆動方式における駆動波形のレベル切り替わり時に流れる電流の方向を一定にせずにキャンセルすることができる、つまり、電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１１】
【補正対象書類名】明細書
【補正対象項目名】００５６
【補正方法】変更
【補正の内容】
【００５６】
本第３実施形態のようなＰＮ液晶駆動方法を採ることにより、スタティック駆動方式における駆動波形のレベル切り替わり時に流れる電流を分散することができると共に電流の方向を一定にせずにキャンセルすることができる、つまり、電流集中を抑えることができるので、レベル切り替わり時の大電流による駆動電圧の降下が少なくなる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１２】
【補正対象書類名】明細書
【補正対象項目名】００６４
【補正方法】変更
【補正の内容】
【００６４】
本第４実施形態のようなＰＮ液晶駆動方法を採ることにより、前記第１実施形態と同様に、スタティック駆動方式における駆動波形のレベル切り替わり時に流れる電流を分散することができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられる。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１３】
【補正対象書類名】明細書
【補正対象項目名】００６９
【補正方法】変更
【補正の内容】
【００６９】
また、オフ表示（拡散状態）時には、図７（Ｂ）に示すように、セグメント電極波形ＳＥＧ−Ａ，ＳＥＧ−Ｂともに、前記コモン電極駆動波形ＣＯＭと同様、電圧０Ｖ（グランドレベル）のままとする。
【手続補正１４】
【補正対象書類名】明細書
【補正対象項目名】００７２
【補正方法】変更
【補正の内容】
【００７２】
本第５実施形態のようなＰＮ液晶駆動方法を採ることにより、前記第２実施形態と同様に、スタティック駆動方式における駆動波形のレベル切り替わり時に流れる電流の方向を一定にせずにキャンセルすることができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられると共に、一方のグループに属するＰＮ液晶表示素子に蓄積されている電荷を他方のグループに属するＰＮ液晶表示素子の充電に利用する電荷の再利用が行えるので、電力の節約にも寄与する。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１５】
【補正対象書類名】明細書
【補正対象項目名】００７６
【補正方法】変更
【補正の内容】
【００７６】
そして、前記所定周期が経過してセグメント電極波形ＳＥＧ−Ａ，ＳＥＧ−Ｂを切り替えるタイミングとなったならば、セグメント電極波形ＳＥＧ−Ａを第１のレベルである電圧Ｖｓｅｇ−から一旦、０Ｖ（グランドレベル）に切り替えると同時に、セグメント電極波形ＳＥＧ−Ｂを第２のレベルである電圧Ｖｓｅｇ＋から一旦、０Ｖ（グランドレベル）に切り替える。その後に、セグメント電極波形ＳＥＧ−Ａをその０Ｖ（グランドレベル）から第２のレベルである電圧Ｖｓｅｇ＋に切り替えると同時に、セグメント電極波形ＳＥＧ−Ｂをその０Ｖ（グランドレベル）から第１のレベルである電圧Ｖｓｅｇ−に切り替える。このセグメント電極波形ＳＥＧ−Ａ，ＳＥＧ−Ｂのレベル切り替えを行なっている間、セグメント電極波形ＳＥＧ−Ｃは第１のレベルである電圧Ｖｓｅｇ−のままであり、セグメント電極波形ＳＥＧ−Ｄは第２のレベルである電圧Ｖｓｅｇ＋のままである。そして、セグメント電極波形ＳＥＧ−Ａ，ＳＥＧ−Ｂのレベルが切り替わったならば、次に、セグメント電極波形ＳＥＧ−Ｃを第１のレベルである電圧Ｖｓｅｇ−から一旦、０Ｖ（グランドレベル）に切り替えると同時に、セグメント電極波形ＳＥＧ−Ｄを第２のレベルである電圧Ｖｓｅｇ＋から一旦、０Ｖ（グランドレベル）に切り替える。その後に、セグメント電極波形ＳＥＧ−Ｃをその０Ｖ（グランドレベル）から第２のレベルである電圧Ｖｓｅｇ＋に切り替えると同時に、セグメント電極波形ＳＥＧ−Ｄをその０Ｖ（グランドレベル）から第１のレベルである電圧Ｖｓｅｇ−に切り替える。このセグメント電極波形ＳＥＧ−Ｃ，ＳＥＧ−Ｄのレベル切り替えを行なっている間、セグメント電極波形ＳＥＧ−Ａは第２のレベルである電圧Ｖｓｅｇ＋のままであり、セグメント電極波形ＳＥＧ−Ｂは第１のレベルである電圧Ｖｓｅｇ−のままである。こうして、各セグメント電極波形ＳＥＧ−Ａ，ＳＥＧ−Ｂ，ＳＥＧ−Ｃ，ＳＥＧ−Ｄが、正負逆方向に切り替えられる。  
以上のレベル切り替えを交互に行なう。
【手続補正１６】
【補正対象書類名】明細書
【補正対象項目名】００８０
【補正方法】変更
【補正の内容】
【００８０】
本第６実施形態のようなＰＮ液晶駆動方法を採ることにより、前記第３実施形態と同様に、スタティック駆動方式における駆動波形のレベル切り替わり時に流れる電流を分散することができると共に電流の方向を一定にせずにキャンセルすることができる、つまり、電流集中を抑えることができるので、レベル切り替わり時の大電流による駆動電圧の降下が少なくなる。さらに、本実施形態では、スタティック駆動方式における駆動波形のレベル切り替わり時に、セグメント電極に出力する信号を一旦グラウンドレベルの信号状態とすることで、流れる電流を小さく抑えられると共に、あるグループに属するＰＮ液晶表示素子に蓄積されている電荷を他のグループに属するＰＮ液晶表示素子の充電に利用する電荷の再利用が行えるので、電力の節約にも寄与する。よって、ＰＮ液晶表示素子に、所望の表示状態とするのに十分な電圧を印加できるようになるので、液晶パネルガラス２１上にＬＳＩ化した駆動ドライバ２３をＣＯＧ実装した狭額縁のＰＮ液晶パネルを製造できるようになる。
【手続補正１７】
【補正対象書類名】特許請求の範囲
【補正対象項目名】全文
【補正方法】変更
【補正の内容】
【特許請求の範囲】
【請求項１】
第１のレベルと第２のレベルとで所定周期で切り替わる駆動信号を、複数個のポリマーネットワーク液晶表示素子のそれぞれのセグメント電極に入力して、スタティック駆動するポリマーネットワーク液晶駆動装置において、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とするポリマーネットワーク液晶駆動装置。
【請求項２】
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする請求項１に記載のポリマーネットワーク液晶駆動装置。
【請求項３】
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替え方向と、
を、反対方向とすることを特徴とする請求項２に記載のポリマーネットワーク液晶駆動装置。
【請求項４】
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替え方向と、
が、反対方向であることを特徴とする請求項１に記載のポリマーネットワーク液晶駆動装置。
【請求項５】
さらに、前記切り替え方向が正負逆のグループ対を複数にして、各グループ対の切り替えのタイミングを互いに異ならせることを特徴とする請求項４に記載のポリマーネットワーク液晶駆動装置。
【請求項６】
前記セグメント電極へ出力する前記駆動信号として、前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする請求項１乃至５の何れかに記載のポリマーネットワーク液晶駆動装置。
【請求項７】
前記複数個のポリマーネットワーク液晶表示素子が形成された透明基板上にＣＯＧ実装されることを特徴とする請求項１乃至６の何れかに記載のポリマーネットワーク液晶駆動装置。
【請求項８】
第１のレベルと第２のレベルとで所定周期で切り替わる駆動信号を、複数個のポリマーネットワーク液晶表示素子のそれぞれのセグメント電極に入力して、スタティック駆動する際に、
前記複数個のポリマーネットワーク液晶表示素子を、２グループ以上にグループ化し、
前記駆動信号の前記第１のレベルと前記第２のレベルとを正負逆の同一レベルとし、
全ポリマーネットワーク液晶表示素子に共通のコモン電極に対してはグランドレベルの信号を出力し、
一つのグループに含まれるポリマーネットワーク液晶表示素子のセグメント電極へ出力する前記駆動信号の前記レベルの切り替えと、
他のグループに含まれるポリマーネットワーク液晶表示素子のセグメント電極へ出力する前記駆動信号の前記レベルの切り替えと、
で、互いに異なる状態となるように、前記複数個のポリマーネットワーク液晶表示素子の各セグメント電極に出力する前記駆動信号を制御する、
ことを特徴とするポリマーネットワーク液晶駆動方法。
【請求項９】
前記互いに異なる状態とは、
一つのグループに含まれるポリマーネットワーク液晶表示素子のセグメント電極へ出力する前記駆動信号の前記レベルの切り替えのタイミングと、
他のグループに含まれるポリマーネットワーク液晶表示素子のセグメント電極へ出力する前記駆動信号の前記レベルの切り替えのタイミングと、
が、互いに重ならないタイミングであることを特徴とする請求項８に記載のポリマーネットワーク液晶駆動方法。
【請求項１０】
さらに、各グループに含まれるポリマーネットワーク液晶表示素子を２つのサブグループにグループ化し、
一方のサブグループに含まれるポリマーネットワーク液晶表示素子のセグメント電極へ出力する前記駆動信号の前記レベルの正負の切り替え方向と、
他方のサブグループに含まれるポリマーネットワーク液晶表示素子のセグメント電極へ出力する前記駆動信号の前記レベルの正負の切り替えの方向と、
を、反対方向とすることを特徴とする請求項９に記載のポリマーネットワーク液晶駆動方法。
【請求項１１】
前記互いに異なる状態とは、
一つのグループに含まれるポリマーネットワーク液晶表示素子のセグメント電極へ出力する前記駆動信号の前記レベルの正負の切り替え方向と、
他のグループに含まれるポリマーネットワーク液晶表示素子のセグメント電極へ出力する前記駆動信号の前記レベルの正負の切り替え方向と、
が、反対方向であることを特徴とする請求項８に記載のポリマーネットワーク液晶駆動方法。
【請求項１２】
さらに、前記切り替え方向が正負逆のグループ対を複数にして、各グループ対の切り替えのタイミングを互いに異ならせることを特徴とする請求項１１に記載のポリマーネットワーク液晶駆動方法。
【請求項１３】
前記セグメント電極へ出力する前記駆動信号として、
前記第１のレベルから前記第２のレベルへ切り替えるレベル切り替えの際に、前記第１のレベルの信号状態から、一旦グラウンドレベルの信号状態を所定時間出力した後、前記第２のレベルの信号状態となる信号を出力することと、
前記セグメント電極へ出力する前記駆動信号として、前記第２のレベルから前記第１のレベルへ切り替えるレベル切り替えの際に、一旦グラウンドレベルの信号状態を所定時間出力した後、前記第１のレベルの信号状態となる信号を出力することと、
の少なくとも一方を行なうことを特徴とする請求項８乃至１２の何れかに記載のポリマーネットワーク液晶駆動方法。
【請求項１４】
透明基板と、
前記透明基板上に形成された複数個のポリマーネットワーク液晶表示素子と、
前記透明基板上にＣＯＧ実装された、請求項１乃至６の何れかに記載のポリマーネットワーク液晶駆動装置と、
を具備する、
ことを特徴とするポリマーネットワーク液晶パネル。